(57)【要約】【課題】無線通信端末が受信データを自端末に保存することができるか判断し、受信データを自端末に保存することができないときでも、その受信データを損失することのなく外部装置でその受信データを受信する無線通信端末を提供する。【解決手段】無線通信端末１０は、無線ネットワーク４０から無線で通信されたデータを受信する無線通信端末であって、データを受信する送受信部２１と、送受信部２１によって受信したデータを自端末に格納する空き容量があるときは、そのデータを自端末に格納するメモリ１３と、送受信部２１によって受信したデータのデータサイズとメモリ１３の空き容量とを比較して、送受信部２１によって受信したデータを自端末に格納する空き容量が不足しているときは、そのデータを他装置３０に受信させるデータ制御部１８と、を備える。【選択図】図１
2010028426.tif 000002
【特許請求の範囲】
【請求項１】
外部から無線で通信されたデータを受信する無線通信端末であって、
前記データを受信するデータ受信手段と、
前記データ受信手段によって受信したデータを自端末に格納する空き容量があるときは、当該データを自端末に格納するデータ格納手段と、
前記データ受信手段によって受信したデータのデータサイズと前記データ格納手段の空き容量とを比較して、前記データ受信手段によって受信したデータを自端末に格納する空き容量が不足しているときは、当該データを外部装置に受信させる制御手段と、を備え、
前記制御手段は、
前記データ受信手段によって受信したデータを自端末に格納する空き容量が不足しているときは、当該データを前記外部装置に受信させる
ことを特徴とする無線通信端末。
【請求項２】
ユーザによって入力される操作を受け付ける入力操作手段と、
前記入力操作手段によって受け付けた操作により、前記データ受信手段によって受信したデータを保存する保存先として前記外部装置を設定し、当該外部装置に前記データの転送の可否を設定するメモリ設定手段と、
前記データ受信手段によって受信したデータを、前記外部装置に送信するデータ送信手段と、を更に備え、
前記制御手段は、
前記メモリ設定手段によって設定された保存先にデータの転送が可能に設定されているときは、前記データ受信手段によって受信したデータを当該保存先に転送指示するデータ転送指示手段を備え、
前記データ送信手段は、
前記データ転送指示手段によって転送指示がされたとき、前記データ受信手段によって受信したデータを前記外部装置に送信する
ことを特徴とする請求項１に記載の無線通信端末。
【請求項３】
前記データ受信手段によって受信したデータを前記外部装置に直接受信させる受信指示を行う他装置受信指示手段
を更に備えることを特徴とする請求項１又は２に記載の無線通信端末。
【請求項４】
前記メモリ設定手段は、
前記データ受信手段によって受信する受信データに対応づけて、保存先として受信すべき外部装置を設定する
ことを特徴とする請求項２又は３に記載の無線通信端末。
【請求項５】
外部から無線で通信されたデータを受信する無線通信端末におけるデータ保存方法であって、
前記データを受信するデータ受信ステップと、
前記データ受信ステップにおいて受信したデータを自端末に格納する空き容量があるときは、当該データを自端末に格納するデータ格納ステップと、
前記データ受信ステップにおいて受信したデータのデータサイズと前記データ格納ステップにおける空き容量とを比較して、前記データ受信ステップにおいて受信したデータを自端末に格納する空き容量が不足しているときは、当該データを外部装置に受信させる制御ステップと、
を含むことを特徴とするデータ保存方法。
【請求項６】
外部から無線で通信されたデータを受信する無線通信端末におけるデータ保存プログラムであって、
前記データを受信するデータ受信手順と、
前記データ受信手順によって受信したデータを自端末に格納する空き容量があるときは、当該データを自端末に格納するデータ格納手順と、
前記データ受信手順によって受信したデータのデータサイズと前記データ格納手順における空き容量とを比較して、前記データ受信手順によって受信したデータを自端末に格納する空き容量が不足しているときは、当該データを外部装置に受信させる制御手順と、を備え、
前記制御手順は、
前記データ受信手順によって受信したデータを自端末に格納する空き容量が不足しているときは、当該データを前記外部装置に受信させる
ことをコンピュータに実行させることを特徴とするデータ保存プログラム。
【発明の詳細な説明】
【技術分野】
【０００１】
本発明は、無線通信端末、データ保存方法及びデータ保存プログラムに関する。
【背景技術】
【０００２】
近年、技術の進歩に伴って、携帯電話やノート型パーソナルコンピュータが普及し、これらがそれぞれのネットワークに接続されるようになっている。
【０００３】
ここで、ネットワークに接続される通信制御装置に関するものが、特許文献１に提案されている。
【０００４】
特許文献１に記載された通信制御装置に関するものは、操作者がキーボード等の操作によって作成した文字、記号及び式等による技術文章を送信する機能を有する電子メール装置に関するものである。
【特許文献１】特開平６−０９０２５３号公報
【発明の開示】
【発明が解決しようとする課題】
【０００５】
しかしながら、特許文献１に記載された通信制御装置に関するものは、以下の点で改善の余地を有していた。
【０００６】
特許文献１に記載された通信制御装置に関するものは、電子メールを送信する送信機能を備えており、送信側から電子メールを送信する前に、その電子メールに対する受信側からの応答状況によって送信側が制御するものである。
【０００７】
そして、特許文献１に記載された通信制御装置に関するものは、送信側から受信側へ受信可能か問い合わせを行い、受信側からの受信可否の信号を受けた後、送信側が送信の可否を判定する。
【０００８】
したがって、特許文献１に記載された通信制御装置に関するものは、メッセージや添付ファイルなどを送受信する電子メールなどの双方向の通信を行う場合には適用可能である。
【０００９】
しかしながら、放送として送信されるプログラムやデータを受信する場合には、特許文献１に記載された送受信を行う通信制御装置に関するものでは、受信側で受信の制御することができず、適用することができなかった。
【００１０】
すなわち、受信側の装置や端末だけでは、特許文献１に記載された通信制御装置に関する受信の制御を行うことができない、という問題があった。
【００１１】
また、移動体端末などの無線端末では、データを保存できるメモリの容量が少なく、無線端末のメモリ容量を超える大量のデータを受信することができなかった。
【００１２】
この場合、無線端末内に保存してあるデータを削除して、保存エリアを予め確保して置かなければならない、という問題があった。
【００１３】
本発明は上記事情に鑑みてなされたものであり、その目的とするところは、無線通信端末が受信データを自端末に保存することができるか判断し、受信データを自端末に保存することができないときでも、その受信データを損失することのなく外部装置でその受信データを受信する無線通信端末、データ保存方法及びデータ保存プログラムを提供することにある。
【課題を解決するための手段】
【００１４】
本発明によれば、外部から無線で通信されたデータを受信する無線通信端末であって、
前記データを受信するデータ受信手段と、
前記データ受信手段によって受信したデータを自端末に格納する空き容量があるときは、当該データを自端末に格納するデータ格納手段と、
前記データ受信手段によって受信したデータのデータサイズと前記データ格納手段の空き容量とを比較して、前記データ受信手段によって受信したデータを自端末に格納する空き容量が不足しているときは、当該データを外部装置に受信させる制御手段と、を備え、
前記制御手段は、
前記データ受信手段によって受信したデータを自端末に格納する空き容量が不足しているときは、当該データを前記外部装置に受信させる
ことを特徴とする無線通信端末が提供される。
【００１５】
本発明によれば、外部から無線で通信されたデータを受信する無線通信端末におけるデータ保存方法であって、
前記データを受信するデータ受信ステップと、
前記データ受信ステップにおいて受信したデータを自端末に格納する空き容量があるときは、当該データを自端末に格納するデータ格納ステップと、
前記データ受信ステップにおいて受信したデータのデータサイズと前記データ格納ステップにおける空き容量とを比較して、前記データ受信ステップにおいて受信したデータを自端末に格納する空き容量が不足しているときは、当該データを外部装置に受信させる制御ステップと、
を含むことを特徴とするデータ保存方法が提供される。
【００１６】
本発明によれば、外部から無線で通信されたデータを受信する無線通信端末におけるデータ保存プログラムであって、
前記データを受信するデータ受信手順と、
前記データ受信手順によって受信したデータを自端末に格納する空き容量があるときは、当該データを自端末に格納するデータ格納手順と、
前記データ受信手順によって受信したデータのデータサイズと前記データ格納手順における空き容量とを比較して、前記データ受信手順によって受信したデータを自端末に格納する空き容量が不足しているときは、当該データを外部装置に受信させる制御手順と、を備え、
前記制御手順は、
前記データ受信手順によって受信したデータを自端末に格納する空き容量が不足しているときは、当該データを前記外部装置に受信させる
ことをコンピュータに実行させることを特徴とするデータ保存プログラムが提供される。
【発明の効果】
【００１７】
本発明によれば、無線通信端末が受信データを自端末に保存することができるか判断し、受信データを自端末に保存することができないときでも、その受信データを損失することのなく外部装置でその受信データを受信する無線通信端末、データ保存方法及びデータ保存プログラムが提供される。
【発明を実施するための最良の形態】
【００１８】
以下、本発明の実施の形態について、図面を用いて説明する。尚、すべての図面において、同様な構成要素には同様の符号を付し、適宜説明を省略する。
【００１９】
図１は、本実施の形態に係る無線通信システムの構成を示した機能ブロック図である。
【００２０】
図１に示す無線通信システムは、無線通信端末１０と、無線通信端末１０が制御する他装置３０と、外部から通信データを取得する無線ネットワーク４０とを備えている。
【００２１】
図１に示す無線通信端末１０は、無線ネットワーク（外部）４０から無線で通信されたデータを受信する無線通信端末であって、データを受信する送受信部（データ受信手段）２１と、送受信部２１によって受信したデータを自端末に格納する空き容量があるときは、そのデータを自端末に格納するメモリ（データ格納手段）１３と、送受信部２１によって受信したデータのデータサイズとメモリ１３の空き容量とを比較して、送受信部２１によって受信したデータを自端末に格納する空き容量が不足しているときは、そのデータを他装置（外部装置）３０に受信させるデータ制御部（制御手段）１８と、構成要素として備えている。
【００２２】
そして、データ制御部１８は、送受信部２１によって受信したデータを自端末に格納する空き容量が不足しているときは、そのデータを他装置３０に受信させる。
【００２３】
詳述すると、図１に示す無線通信端末１０は、無線通信部１１と、データ保存部１２と、メモリ１３と、メモリ設定部１４と、入力操作部１５と、保存先設定判断部１６と、メモリ容量監視部１７と、データ制御部１８と、他装置指示部２０とを備えている。
【００２４】
また、無線通信部１１は、送受信部２１と他装置送信部２２とを備えている。
【００２５】
メモリ設定部１４は、データ保存先設定部１０１と、データ転送設定部１０２とを備えている。
【００２６】
データ制御部１８は、データ転送指示部１９を備えている。
【００２７】
無線通信部１１は、送受信部２１を備えることより、送受信部２１を介して無線ネットワーク４０から通信データを受信する機能を有している。
【００２８】
ここで、通信データは、例えば、マルチメディアコンテンツの映像音声データやストリーミング可能な再生データなどが該当する。
【００２９】
なお、本実施の形態では、無線ネットワーク４０は、マルチメディアコンテンツとして映像音声データや再生データ等を送信できればよく、これらの通信データに限定されるものではない。
【００３０】
また、無線通信部１１は、他装置送信部２２を備えることにより、他装置指示部２０から他装置３０を制御する制御信号を、他装置送信部２２が送信する。
【００３１】
データ保存部１２は、無線ネットワーク４０から無線通信部１１を経由して受信した通信データを一時的に保存し、メモリ１３へ書き込む。
【００３２】
メモリ１３は、無線通信端末１０が受信するデータを格納するデータ格納領域である。
【００３３】
メモリ設定部１４は、後述する入力操作部１５を用いてユーザにより入力操作が行われ、入力された任意のデータ保存先がデータ保存先設定部１０１に設定される。また同様に、入力されたデータの転送可否がデータ転送設定部１０２に設定される。
【００３４】
入力操作部１５は、無線通信端末１０の各種設定を入力するための操作部であり、キーボードやタッチパネルが該当する。
【００３５】
保存先設定判断部１６は、入力操作部１５によって入力されたメモリ設定部１４の設定情報を読み取る機能を有している。
【００３６】
メモリ容量監視部１７は、メモリ１３にデータを書き込み可能な空き容量を読み出す機能を有している。
【００３７】
また、メモリ容量監視部１７は、データ制御部１８からの要求により、メモリ１３の書き込み可能な空き容量を読み出し、空き容量を検出する機能を有している。
【００３８】
データ制御部１８は、メモリ容量監視部１７で検出したメモリ１３の空き容量と、無線通信部１１の送受信部２１を介して受信したデータ量の比較を行う機能を有している。また、データ制御部１８は、メモリ１３の空き容量と受信したデータ量との比較結果を基に、受信した通信データを、データ保存部１２を介してメモリ１３に書き込む制御機能を有している。
【００３９】
データ保存部１２は、データ制御部１８によるメモリ１３の空き容量と受信したデータ量との比較結果により、メモリ１３に送受信部２１で受信した通信データを書き込む制御機能を有している。
【００４０】
データ転送指示部１９は、データ制御部１８に設けられており、無線通信部１１の送受信部２１を介して受信した通信データを、他装置３０へ転送する制御機能を有している。
【００４１】
他装置指示部２０は、無線通信部１１の送受信部２１を介して受信した通信データを、無線通信部１１を介さずに、他装置３０で受信させる制御機能を有している。
【００４２】
他装置３０は、本実施の形態においては、無線通信端末１０からの通信データを受信することができるパーソナルコンピュータやハードディスクを備えたレコーダー等であれば実現することができ、特に限定されるものではない。
【００４３】
また、他装置指示部２０は、他装置送信部２２を介して他装置３０に制御信号を送信すればよく、無線通信端末１０と他装置３０の接続方式は、有線であっても無線であってもよい。
【００４４】
なお、本実施の形態におけるこれらの構成要素は、その機能を実現するように形成されていればよく、例えば、所定の機能を発揮する専用のハードウェア、所定の機能がコンピュータプログラムにより付与された無線通信端末、コンピュータプログラムにより無線通信端末に実現された所定の機能、これらの任意の組み合わせ、等として実現することができる。
【００４５】
次に、本実施の形態に係る無線通信システムの動作について説明する。
【００４６】
図２は、本実施の形態に係る無線通信システムの動作を示したフローチャートである。また、図３は、本実施の形態に係る無線通信システムの無線通信端末１０が保持する設定情報と、データ受信を行う設定例である。
【００４７】
なお、図２に示すフローチャートは、データ制御部１８によって実行されるプログラムによって実現することができ、このプログラムは、メモリ１３に保存されていることとする。
【００４８】
また、図３に示すデータ受信を行う設定例は、条件と、保存先設定と、メモリ容量と、保存先とが記載されており、データ制御部１８に格納されている。
【００４９】
最初に、無線通信端末１０は、ユーザが入力操作部１５を使用して入力操作を行うことにより、無線ネットワーク４０から受信する通信データの保存先をデータ保存先設定部１０１に設定する（ステップＳ０１）。
【００５０】
また、無線通信端末１０は、ユーザが入力操作部１５を使用して入力操作を行うことにより、受信した通信データの転送の可否をデータ転送設定部１０２に設定する（ステップＳ０２）。
【００５１】
そして、無線通信端末１０は、無線通信部１１において送受信部２１が通信データの受信を検出すると（ステップＳ０３）、データ制御部１８が受信した通信データの受信量（或いは、受信情報量）を確認する（ステップＳ０４）。
【００５２】
そして、データ制御部１８は、メモリ容量監視部１７に、メモリ１３の空き容量の問い合わせを行い、送受信部２１が受信した通信データの受信量を基に、受信した通信データをメモリ１３に格納するだけの空き容量が有るか否かの判定を行う（ステップＳ０５）。
【００５３】
ここで、受信した通信データをメモリ１３に格納する空き容量がある場合には（ステップＳ０５のＹｅｓ）、ステップＳ０６へ進み、データ保存部１２がメモリ１３に受信した通信データを格納する制御を行う。
【００５４】
一方、受信した通信データをメモリ１３に格納する空き容量がない場合には（ステップＳ０５のＮｏ）、ステップＳ０７へ進み、図３で示した転送設定の有無を確認し、転送設定の有無により、転送設定の可否を判断する。
【００５５】
そして、データ転送設定部１０２で設定されたデータの転送設定が「無」の場合には（ステップＳ０７のＮｏ）、図３で示す条件１に該当し、受信した通信データを破棄する（ステップＳ１１）。
【００５６】
一方、データ転送設定部１０２で設定されたデータの転送設定が「有」の場合には（ステップＳ０７のＹｅｓ）、図３で示す条件２から４に該当し、ステップＳ０８へ進み、データ保存先設定部１０１の保存先を確認する。
【００５７】
データ制御部１８は、保存先設定判断部１６から保存先設定を確認し、例えば、図３で示す条件３のように、受信した通信データを他装置３０へ転送することを示す他装置転送が設定されている場合には（ステップＳ０８のＹｅｓ）、データ転送指示部１９が、無線通信部１１の送受信部２１を介して他装置３０へ、受信した通信データを転送する（ステップＳ０９）。
【００５８】
一方、他装置転送が設定されていない場合には（ステップＳ０８のＮｏ）、図３で示す条件４のように、無線通信端末１０が通信データを受信する代わりに、他装置３０に、直接、通信データを受信させる代替受信指示を行う（ステップＳ１０）。
【００５９】
この場合、無線通信端末１０は、通信データをメモリ１３に保存せずに、データ制御部１８から他装置指示部２０に、無線通信端末１０を介さないで通信データを他装置３０に受信させる旨の通知を行う。
【００６０】
また、データ制御部１８は、他装置指示部２０が無線通信部１１の他装置送信部２２を介して他装置３０に、無線通信端末１０を介さないで通信データを受信させるように制御する。
【００６１】
以上説明したように本実施の形態によれば、無線通信システムは、無線通信端末１０が有するメモリ１３の空き容量を監視する機能を有し、ユーザが設定した条件に基づいて、通信データをメモリ１３に保存可能か判断することができる。
【００６２】
これにより、無線通信端末１０が通信データをメモリ１３に保存することができるか判断し、保存することができない場合でも、その通信データを損失することのなく、他装置３０で受信させることができる。
【００６３】
なお、本実施の形態では、図３に示す条件２において、転送設定が「有」と設定されていても、保存先設定がメモリ１３を意味する端末内メモリが設定されているときには、図３の保存先に示すように、データを破棄する設定をしても良い。
【００６４】
また、メモリ設定部１４は、無線ネットワーク４０から受信する通信データに対応づけて、保存先である他装置３０に保存するように設定しても良い。
【００６５】
この場合、例えば、地上波放送に関連する通信データは、自宅に設けられたパーソナルコンピュータから構成される他装置３０に保存するように設定し、ＢＳ放送に関連する通信データは、ＡＶ（Audio Visual）レコーダに録画するように設定することができる。
【００６６】
以上、図面を参照して本発明の実施形態について述べたが、これらは本発明の例示であり、上記以外の様々な構成を採用することもできる。
【図面の簡単な説明】
【００６７】
【図１】本実施の形態に係る無線通信システムの構成を示した機能ブロック図である。
【図２】本実施の形態に係る無線通信システムの動作を示したフローチャートである。
【図３】本実施の形態に係る無線通信システムの無線通信端末が保持する設定情報と、データ受信を行う設定例を示した図である。
【符号の説明】
【００６８】
１０    無線通信端末
１１    無線通信部
１２    データ保存部
１３    メモリ
１４    メモリ設定部
１５    入力操作部
１６    保存先設定判断部
１７    メモリ容量監視部
１８    データ制御部
１９    データ転送指示部
２０    他装置指示部
２１    送受信部
２２    他装置送信部
３０    他装置
４０    無線ネットワーク
１０１    データ保存先設定部
１０２    データ転送設定部
【図１】
2010028426.tif 000003
【図２】
2010028426.tif 000004
【図３】
2010028426.tif 000005